(57)【特許請求の範囲】
【請求項１】
基地局と移動局とを含み、前記基地局から前記移動局への順方向回線の通信フレーム中に通信データを時間軸方向に圧縮して生じた空き時間を設けるようにした移動通信システムであって、
前記基地局は、
前記通信フレーム中に前記空き時間を設ける手段と、この空き時間においても前記通信データの復調または順方向回線用の送信電力制御に使用されるパイロット信号を含む第１の制御信号を挿入して送信する送信制御手段とを含むことを特徴とする移動通信システム。
【請求項２】
前記送信制御手段は、前記パイロット信号を予め定められた時間間隔で挿入することを特徴とする請求項１記載の移動通信システム。
【請求項３】
前記時間間隔は通信時の前記第１の制御信号の時間間隔よりも長く設定されていることを特徴とする請求項２記載の移動通信システム。
【請求項４】
前記通信データの復調または順方向回線用の送信電力制御に使用されるパイロット信号を含む第２制御信号の直後から前記空き時間を設けることを特徴とする請求項１〜３いずれか記載の移動通信システム。
【請求項５】
基地局と移動局とを含み、前記基地局から前記移動局への順方向回線の通信フレーム中に通信データを時間軸方向に圧縮して生じた空き時間を設けるようにした移動通信システムであって、
前記基地局は、
前記通信フレーム中に前記通信データの復調または順方向回線用の送信電力制御に使用されるパイロット信号を含む第２の制御信号を挿入する手段と、前記空き時間を前記第２の制御信号の直後から設けて送信する送信制御手段とを含むことを特徴とする移動通信システム。
【請求項６】
前記送信制御手段は、前記空き時間の終了直後に前記通信データの復調または順方向回線用の送信電力制御に使用されるパイロット信号を含む第３の制御信号を送信することを特徴とする請求項１〜５いずれか記載の移動通信システム。
【請求項７】
前記第１の制御信号は、逆方向回線用の送信電力制御情報を含むことを特徴とする請求項１〜３いずれか記載の移動通信システム。
【請求項８】
前記第２の制御信号は、逆方向回線用の送信電力制御情報を含むことを特徴とする請求項４〜５いずれか記載の移動通信システム。
【請求項９】
前記第３の制御信号は、逆方向回線用の送信電力制御情報を含むことを特徴とする請求項６記載の移動通信システム。
【請求項１０】
基地局と移動局とを含み、前記基地局から前記移動局への順方向回線の通信フレーム中に通信データを時間軸方向に圧縮して生じた空き時間を設けるようにした移動通信システムであって、
前記基地局は、
前記空き時間を通信品質を維持するための第２の制御信号の直後から設ける手段と、前記空き時間の終了直後に通信品質を維持するための第３の制御信号を送信する送信制御手段とを含み、
前記２及び第３の制御信号が通信データの復調または順方向回線用の送信電力制御に使用されるパイロット信号であることを特徴とする移動通信システム。
【請求項１１】
基地局と移動局とを含み、前記基地局から前記移動局への順方向回線の通信フレーム中に通信データを時間軸方向に圧縮して生じた空き時間を設けるようにした移動通信システムであって、
前記基地局は、
前記空き時間を通信品質を維持するための第２の制御信号の直後から設ける手段と、前記空き時間の終了直後に通信品質を維持するための第３の制御信号を送信する送信制御手段とを含み、
前記２の制御信号が逆方向回線用の送信電力制御情報であり、前記第３の制御信号が通信データの復調または順方向回線用の送信電力制御に使用されるパイロット信号であることを特徴とする移動通信システム。
【請求項１２】
所定の周期で前記空き時間を設ける通信モードに切り替えることを特徴とする請求項１〜１１いずれか記載の移動通信システム。
【請求項１３】
基地局から移動局に通知を行うことにより前記空き時間を設ける通信モードに切り替えることを特徴とする請求項１〜１１いずれか記載の移動通信システム。
【請求項１４】
基地局において観測した回線品質状態に応じて移動局に通知を行うことにより前記空き時間を設ける通信モードに切り替えることを特徴とする請求項１〜１１いずれか記載の移動通信システム。
【請求項１５】
基地局において観測した輻輳状態に応じて移動局に通知を行うことにより前記空き時間を設ける通信モードに切り替えることを特徴とする請求項１〜１１いずれか記載の移動通信システム。
【請求項１６】
移動局から基地局に通知を行うことにより前記空き時間を設ける通信モードに切り替えることを特徴とする請求項１〜１１いずれか記載の移動通信システム。
【請求項１７】
移動局において観測した回線品質状態に応じて基地局に通知を行うことにより前記空き時間を設ける通信モードに切り替えることを特徴とする請求項１〜１１いずれか記載の移動通信システム。
【請求項１８】
基地局と移動局とを含み、前記基地局から前記移動局への順方向回線の通信フレーム中に通信データを時間軸方向に圧縮して生じた空き時間を設けるようにした移動通信システムにおける通信制御方法であって、
前記基地局において、
前記通信フレーム中に前記空き時間を設けるステップと、この空き時間においても前記通信データの復調または順方向回線用の送信電力制御に使用されるパイロット信号を含む第１の制御信号を挿入して送信するステップとを含むことを特徴とする通信制御方法。
【請求項１９】
前記送信するステップは、前記第１の制御信号を予め定められた時間間隔で挿入することを特徴とする請求項１８記載の通信制御方法。
【請求項２０】
前記時間間隔は通信時の前記第１の制御信号の時間間隔よりも長く設定されていることを特徴とする請求項１９記載の通信制御方法。
【請求項２１】
前記空き時間を設けるステップは、前記通信データの復調または順方向回線用の送信電力制御に使用されるパイロット信号を含む第２の制御信号の直後から前記空き時間を設けるようにしたことを特徴とする請求項１８〜２０いずれか記載の通信制御方法。
【請求項２２】
基地局と移動局とを含み、前記基地局から前記移動局への順方向回線の通信フレーム中に通信データを時間軸方向に圧縮して生じた空き時間を設けるようにした移動通信システムにおける通信制御方法であって、
前記基地局において、
前記通信フレーム中に前記通信データの復調または順方向回線用の送信電力制御に使用されるパイロット信号を含む第２の制御信号を挿入するステップと、前記空き時間を前記第２の制御信号の直後から設けて送信するステップとを含むことを特徴とする通信制御方法。
【請求項２３】
前記空き時間の終了直後に、前記通信データの復調または順方向回線用の送信電力制御に使用されるパイロット信号を含む第３の制御信号を送信することを特徴とする請求項１８〜２２いずれか記載の通信制御方法。
【請求項２４】
前記第１の制御信号は、逆方向回線用の送信電力制御情報をも含むことを特徴とする請求項１８〜２０いずれか記載の通信制御方法。
【請求項２５】
前記第２の制御信号は、逆方向回線用の送信電力制御情報をも含むことを特徴とする請求項２１〜２２いずれか記載の通信制御方法。
【請求項２６】
前記第３の制御信号は、逆方向回線用の送信電力制御情報をも含むことを特徴とする請求項２３記載の通信制御方法。
【請求項２７】
基地局と移動局とを含み、前記基地局から前記移動局への順方向回線の通信フレーム中に通信データを時間軸方向に圧縮して生じた空き時間を設けるようにした移動通信システムにおける通信制御方法であって、
前記基地局において、
前記空き時間を通信品質を維持するための第２の制御信号の直後から設けるステップと、前記空き時間の終了直後に通信品質を維持するための第３の制御信号を送信するステップとを含み、
前記２及び第３の制御信号が通信データの復調または順方向回線用の送信電力制御に使用されるパイロット信号であることを特徴とする通信制御方法。
【請求項２８】
基地局と移動局とを含み、前記基地局から前記移動局への順方向回線の通信フレーム中に通信データを時間軸方向に圧縮して生じた空き時間を設けるようにした移動通信システムにおける通信制御方法であって、
前記基地局において、
前記空き時間を通信品質を維持するための第２の制御信号の直後から設けるステップと、前記空き時間の終了直後に通信品質を維持するための第３の制御信号を送信するステップとを含み、
前記２の制御信号が逆方向回線用の送信電力制御情報であり、前記第３の制御信号が通信データの復調または順方向回線用の送信電力制御に使用されるパイロット信号であることを特徴とする通信制御方法。
【請求項２９】
所定の周期で前記空き時間を設ける通信モードに切り替えることを特徴とする請求項１８〜２８いずれか記載の通信制御方法。
【請求項３０】
基地局から移動局に通知を行うことにより前記空き時間を設ける通信モードに切り替えることを特徴とする請求項１８〜２８いずれか記載の通信制御方法。
【請求項３１】
基地局において観測した回線品質状態に応じて移動局に通知を行うことにより前記空き時間を設ける通信モードに切り替えることを特徴とする請求項１８〜２８いずれか記載の通信制御方法。
【請求項３２】
基地局において観測した輻輳状態に応じて移動局に通知を行うことにより前記空き時間を設ける通信モードに切り替えることを特徴とする請求項１８〜２８いずれか記載の通信制御方法。
【請求項３３】
移動局から基地局に通知を行うことにより前記空き時間を設ける通信モードに切り替えることを特徴とする請求項１８〜２８いずれか記載の通信制御方法。
【請求項３４】
移動局において観測した回線品質状態に応じて基地局に通知を行うことにより前記空き時間を設ける通信モードに切り替えることを特徴とする請求項１８〜２８いずれか記載の通信制御方法。
【請求項３５】
基地局と移動局とを含み、前記基地局から前記移動局への順方向回線の通信フレーム中に通信データを時間軸方向に圧縮して生じた空き時間を設けるようにした移動通信システムにおける基地局であって、
前記通信フレーム中に前記空き時間を設ける手段と、
この空き時間においても前記通信データの復調または順方向回線用の送信電力制御に使用されるパイロット信号を含む第１の制御信号を挿入して送信する送信制御手段とを含むことを特徴とする基地局。
【請求項３６】
前記送信制御手段は、前記第１の制御信号を予め定められた時間間隔で挿入することを特徴とする請求項３５記載の基地局。
【請求項３７】
前記時間間隔は通信時の前記第１の制御信号の時間間隔よりも長く設定されていることを特徴とする請求項３６記載の基地局。
【請求項３８】
前記送信制御手段は、前記通信データの復調または順方向回線用の送信電力制御に使用されるパイロット信号を含む第２制御信号の直後から前記空き時間を設けることを特徴とする請求項３５〜３７いずれか記載の基地局。
【請求項３９】
基地局と移動局とを含み、前記基地局から前記移動局への順方向回線の通信フレーム中に通信データを時間軸方向に圧縮して生じた空き時間を設けるようにした移動通信システムにおける基地局であって、
前記通信フレーム中に前記通信データの復調または順方向回線用の送信電力制御に使用されるパイロット信号を含む第２の制御信号を挿入する手段と、
前記空き時間を前記第２の制御信号の直後から設けて送信する送信制御手段とを含むことを特徴とする基地局。
【請求項４０】
前記送信制御手段は、前記空き時間の終了直後に前記通信データの復調または順方向回線用の送信電力制御に使用されるパイロット信号を含む第３の制御信号を送信することを特徴とする請求項３５〜３９いずれか記載の基地局。
【請求項４１】
前記第１の制御信号は、逆方向回線用の送信電力制御情報を含むことを特徴とする請求項３５〜３７いずれか記載の基地局。
【請求項４２】
前記第２の制御信号は、逆方向回線用の送信電力制御情報を含むことを特徴とする請求項３８〜３９いずれか記載の基地局。
【請求項４３】
前記第３の制御信号は、逆方向回線用の送信電力制御情報を含むことを特徴とする請求項４０記載の基地局。
【請求項４４】
基地局と移動局とを含み、前記基地局から前記移動局への順方向回線の通信フレーム中に通信データを時間軸方向に圧縮して生じた空き時間を設けるようにした移動通信システムにおける基地局であって、
通信品質を維持するための第２の制御信号を挿入する手段と、
前記空き時間を前記第２の制御信号の直後から設け、前記空き時間の終了直後に第３の制御信号を送信する送信制御手段とを含み、
前記第２及び第３の制御信号が前記通信データの復調または順方向回線用の送信電力制御に使用されるパイロット信号であることを特徴とする基地局。
【請求項４５】
基地局と移動局とを含み、前記基地局から前記移動局への順方向回線の通信フレーム中に通信データを時間軸方向に圧縮して生じた空き時間を設けるようにした移動通信システムにおける基地局であって、
前記空き時間を通信品質を維持するための第２の制御信号の直後から設ける手段と、
前記空き時間の終了直後に通信品質を維持するための第３の制御信号を送信する送信制御手段とを含み、
前記２の制御信号が逆方向回線用の送信電力制御情報であり、前記第３の制御信号が通信データの復調または順方向回線用の送信電力制御に使用されるパイロット信号であることを特徴とする基地局。
【請求項４６】
所定の周期で前記空き時間を設ける通信モードに切り替えることを特徴とする請求項３５〜４５いずれか記載の基地局。
【請求項４７】
移動局に通知を行うことにより前記空き時間を設ける通信モードに切り替えることを特徴とする請求項３５〜４５いずれか記載の基地局。
【請求項４８】
回線品質状態に応じて移動局に通知を行うことにより前記空き時間を設ける通信モードに切り替えることを特徴とする請求項３５〜４５いずれか記載の基地局。
【請求項４９】
輻輳状態に応じて移動局に通知を行うことにより前記空き時間を設ける通信モードに切り替えることを特徴とする請求項３５〜４５いずれか記載の基地局。
【請求項５０】
移動局からの通知により前記空き時間を設ける通信モードに切り替えることを特徴とする請求項３５〜４５いずれか記載の基地局。
【請求項５１】
基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間に送信された通信品質を維持するための第１の制御信号を受信し、この第１の制御信号に基き受信品質を測定する品質測定手段と、
この受信品質に従って順方向の送信電力制御情報を生成して送信する送信手段とを含むことを特徴とする移動局。
【請求項５２】
基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間に送信された通信品質を維持するための第１の制御信号を受信する手段と、
この第１の制御信号を用いて通信データを復調する復調手段とを含むことを特徴とする移動局。
【請求項５３】
基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間に送信された通信品質を維持するための第１の制御信号を受信する手段と、
この第１の制御信号に従って逆方向の送信電力を制御する手段とを含むことを特徴とする移動局。
【請求項５４】
基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信する手段と、
この制御信号に基き受信品質を測定する品質測定手段と、
この受信品質に従って順方向の送信電力制御情報を生成して送信する送信手段とを含むことを特徴とする移動局。
【請求項５５】
基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信する手段と、
この制御信号を用いて通信データを復調する復調手段とを含むことを特徴とする移動局。
【請求項５６】
基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信する手段と、
この第２の制御信号に基き逆方向の送信電力を制御する手段とを含むことを特徴とする移動局。
【請求項５７】
基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信すると共に、前記空き時間の直後に通信品質を維持するための第３の制御信号を受信する手段と、
これ等第２若しくは第３の制御信号に基き受信品質を測定する品質測定手段とこの受信品質に従って順方向の送信電力制御情報を生成して送信する送信手段とを含むことを特徴とする移動局。
【請求項５８】
基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信すると共に、前記空き時間の直後に通信品質を維持するための第３の制御信号を受信する手段と、
これ等第２若しくは第３の制御信号を用いて通信データを復調する復調手段とを含むことを特徴とする移動局。
【請求項５９】
基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信すると共に、前記空き時間の直後に通信品質を維持するための第３の制御信号を受信する手段と、
この第３の制御信号に基き受信品質を測定する品質測定手段と、
この受信品質に従って順方向の送信電力制御情報を生成して送信する送信手段と、
前記第２の制御信号に基づいて逆方向の送信電力を制御する手段とを含むことを特徴とする移動局。
【請求項６０】
基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信すると共に、前記空き時間の直後に通信品質を維持するための第３の制御信号を受信する手段と、
この第３の制御信号を用いて通信データを復調する復調手段と、
前記第２の制御信号に基づいて逆方向の送信電力を制御する手段とを含むことを特徴とする移動局。
【請求項６１】
基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信すると共に、前記空き時間の直後に通信品質を維持するための第３の制御信号を受信する手段と、
この第３の制御信号を用いて通信データを復調する復調手段と、
第３の制御信号に基き受信品質を測定する品質測定手段と、
この受信品質に従って順方向の送信電力制御情報を生成して送信する送信手段と、
前記第２の制御信号に基づいて逆方向の送信電力を制御する手段とを含むことを特徴とする移動局。
【請求項６２】
前記第１の制御信号は、前記通信データの復調または順方向回線用の送信電力制御に使用されるパイロット信号を含むことを特徴とする請求項５１〜５２いずれか記載の移動局。
【請求項６３】
前記第２の制御信号は、前記通信データの復調または順方向回線用の送信電力制御に使用されるパイロット信号を含むことを特徴とする請求項５４，５５，５７，５８いずれか記載の移動局。
【請求項６４】
前記第３の制御信号は、前記通信データの復調または順方向回線用の送信電力制御に使用されるパイロット信号を含むことを特徴とする請求項５７〜６１いずれか記載の移動局。
【請求項６５】
前記第１の制御信号は、逆方向回線用の送信電力制御情報をも含むことを特徴とする請求項５３記載の移動局。
【請求項６６】
前記第２の制御信号は、逆方向回線用の送信電力制御情報をも含むことを特徴とする請求項５６，５９，６０，６１いずれか記載の移動局。
【請求項６７】
前記第１の制御信号は、通信データの復調または順方向回線用の送信電力制御に使用されるパイロット信号、及び逆方向回線用の送信電力制御情報をも含むことを特徴とする請求項５１〜５３いずれか記載の移動局。
【請求項６８】
前記第２の制御信号は、通信データの復調または順方向回線用の送信電力制御に使用されるパイロット信号、及び逆方向回線用の送信電力制御情報をも含むことを特徴とする請求項５４〜６１いずれか記載の移動局。
【請求項６９】
前記第３の制御信号は、通信データの復調または順方向回線用の送信電力制御に使用されるパイロット信号、及び逆方向回線用の送信電力制御情報をも含むことを特徴とする請求項５７〜６１いずれか記載の移動局。
【請求項７０】
所定の周期で前記空き時間を設ける通信モードに切り替えることを特徴とする請求項５１〜６９いずれか記載の移動局。
【請求項７１】
基地局からの通知により前記空き時間を設ける通信モードに切り替えることを特徴とする請求項５１〜６９いずれか記載の移動局。
【請求項７２】
基地局に通知を行うことにより前記空き時間を設ける通信モードに切り替えることを特徴とする請求項５１〜６９いずれか記載の移動局。
【請求項７３】
回線品質状態に応じて基地局に通知を行うことにより前記空き時間を設ける通信モードに切り替えることを特徴とする請求項５１〜６９いずれか記載の移動局。
移動局。
【発明の詳細な説明】
【０００１】
【発明の属する技術分野】
本発明は移動通信システム及びその通信制御方法並びにそれに用いる基地局及び移動局に関し、特に基地局から移動局へ送信される通信フレーム中に通信データのない空き時間を設けこの空き時間を利用して、移動局側で、例えば、異周波キャリアの無線回線品質測定等の処理を行うようにした移動通信方式に関するものである。
【０００２】
【従来の技術】
移動通信システムでは、セルと呼ばれる通信サービス領域の単位を設け、複数のセルの集合体として広域サービスエリアを実現している。セルは、一つの基地局がカバーする範囲として定義される。また、各基地局は多くのユーザ信号等を収容するために、通信に利用可能な周波数キャリアを複数用意している。例えば、図８の周波数配置において、周波数キャリア４０１，４０２は、同一基地局が同時に用いることができる。
【０００３】
通信中の移動局がサービスエリア内を移動すると、現在のセルから新しい隣のセルへの移動が生じ、接続する基地局を切り替えるために無線回線の切り替えが行われる。例えば、図９において、回線６０１から回線６１１への切り替えのような場合である。このように、接続する無線回線の切り替えをハンドオーバという。無線回線の切り替えは、移動局の移動がない場合でも生じる。例えば、接続中の回線の品質が悪い場合や、通信速度を変更したいが現在接続中の回線では実現不可能な場合等があり、複数のキャリアを有する同一基地局の無線回線間（図９の回線６０１と６０３間）や、複数の基地局（セル）が同時にその地点のサービスをカバーしている場合の当該複数基地局の無線回線間においても生じる。
【０００４】
また、切り替え前の無線回線において通信に用いていたキャリアの周波数と、切り替え後の無線回線において通信に用いるキャリアの周波数とが異なる場合、特に異周波ハンドオーバという。異周波ハンドオーバを実現するためには、切り替え対象として無線回線品質のよい周波数キャリアを選ぶために、回線品質測定を行う必要がある。
【０００５】
従来、ＴＤＭＡのように自局が送受信を行わない時間がある場合は、その空きスロット時間を利用して、無線周波数を現在通信中の無線周波数から観測対象の周波数に切り替えて、異周波キャリアの無線回線品質測定に用いる方法がある。この方法では、通信と異周波キャリアの観測とを同時に行わないので、無線周波数の切り替え操作で対処すればよく、異周波キャリアの観測用に無線機を別に用意する必要はない。
【０００６】
一方、ＦＤＭＡやＣＤＭＡのように連続伝送を基本とする方式では、２つ以上の複数の無線機を利用し、通信に用いていない無線機で、他の周波数キャリアの無線回線品質測定に用いる方法がある。ＣＤＭＡで２つ以上の無線機を利用しない方法としては、いわゆる、スロッテッドモード（Slotted mode）が提案されている（文献１：Ｍ．  Ｇｕｓｔａｆｓｓｏｎ  ｅｔ  ａｌ．，“Ｃｏｍｐｒｅｓｓｅｄ  Ｍｏｄｅ  Ｔｅｃｈｎｉｑｕｅｓ  ｆｏｒ  Ｉｎｔｅｒ−Ｆｒｅｑｕｅｎｃｙ  Ｍｅａｓｕｒｅｍｅｎｔｓ  ｉｎ  ａ  Ｗｉｄｅ−ｂａｎｄ  ＤＳ−ＣＤＭＡ  Ｓｙｓｔｅｍ，”  Ｐｒｏｃｅｅｄｉｎｇｓ  ｏｆ  ｔｈｅ  ８ｔｈ  ＰＩＭＲＣ，  Ｓｅｐｔ．’９７）。これは、複数時刻に渡り拡散率を下げるか、あるいは誤り訂正符号化の符号化率を高くするいわゆるパンクチュアリングすることににより、信号を時間方向に圧縮して、拡散帯域は同一に維持しつつデータ信号のない空き時間を設ける方式である。
【０００７】
図１０はかかる空き時間を設けた場合の例を示す図であり、図中のＳ１〜Ｓｋ＋１はタイムスロットを示している。図１０を参照すると、期間Ｔ２において拡散率を半分にすることにより、期間Ｔ１やＴ３に比較して信号伝送速度を２倍に上げ、時間軸方向に信号を１／２に圧縮した一例を示したものである。こうして得られる空き時間Ｔ４において、無線周波数を通信中の周波数キャリアから異なる周波数キャリアに切り替え、そのキャリアの品質を測定するものである。
【０００８】
一方、送信信号に挿入された複数のパイロットブロックを使用して、チャネル推定（振幅情報及び位相情報の検出）を精度良く行い、同期検波において所要の受信品質（ビット誤り率等）を得るための信号対雑音電力比を低減する技術がある（文献２：電子情報通信学会、１９９６年８月、信学技報、ｐ．４５〜５０
「ＤＳ−ＣＤＭＡにおける複数パイロットブロックを用いる高精度チャネル推定法」）。
【０００９】
また、移動局から、パイロット信号を情報系列中に挿入して送信し、基地局において、このパイロット信号を受信して逆方向（上り）回線の品質（ＳＩＲ：信号電力対干渉電力比）を測定し、そのＳＩＲを目標値と比較しその比較結果を移動局へ報告し、それに従って移動局において順方向の送信電力を変更制御する方式がある。
【００１０】
更にはまた、このパイロット信号は順方向（下り方向）回線の送信電力の制御にも使用されている。すなわち、移動局において、基地局から送出されてきたパイロット信号を受信し順方向回線の品質を測定し、そのＳＩＲを目標値と比較しその比較結果を基地局へ報告し、それに従って基地局において順方向の送信電力を変更制御する様になっている。
【００１１】
【発明が解決しようとする課題】
しかしながら、上述したスロッテッドモード（Slotted mode）の場合、基地局においては、空き時間中は逆方向（上り）回線の送信電力を制御するための情報を送信することができないので、逆方向回線の特性が劣化するという問題がある。図９の例を用いて具体的に述べると、基地局６００に接続している移動局６２０は下り回線として回線６０１を、上り回線として回線６０２を用いて通信を行っているとする。
【００１２】
回線６０１の送信信号構成は、例えば図１１のようになっている。（ａ）に示す様に、
ｍ個のフレームＦ１〜Ｆｍからなるスーパフレームがあり、各フレームＦｉは、（ｂ）に示す如く、一定の時間単位の間隔でセグメント化されたスロットＳ１〜Ｓｎからなっている。そして、各スロットＳｊは（ｃ）〜（ｅ）の３種の形式がある。（ｃ）では、スロットの先頭から順に、パイロット信号ＰＬ、送信電力制御信号ＴＰＣ（TransmissionPower Control ）、送信レート情報ＲＩ（Rate Information）、送信データＤ１が配置されている。
【００１３】
（ｄ）では、スロットの先頭から順に、パイロット信号ＰＬ、送信レート情報ＲＩ、送信データＤ１、送信電力制御信号ＴＰＣ、送信データＤ２が配置されている。（ｅ）では、スロットの先頭から順に、送信レート情報ＲＩ、送信データＤ１、送信電力制御信号ＴＰＣ、送信データＤ２、パイロット信号ＰＬが配置されている。
【００１４】
パイロット信号ＰＬは、上述した様に、同期検波及び品質測定用の信号であり、送信電力制御信号ＴＰＣは逆方向回線（例えば、上り回線６０２）の送信電力制御用情報である。このとき、回線６０１が異周波キャリア測定モードに入り、図１０の空き時間Ｔ４に入ると、逆方向回線６０２の送信電力制御用情報が回線６０１で送信されなくなるため、移動局６２０の送信電力が適切なレベルからずれていくことにより、逆方向回線６０２の特性が劣化する。この劣化は、空き時間Ｔ４が長いほど大きい。
【００１５】
また、移動局において、複数のパイロットシンボルを使用した受信を行う場合に、空き時間Ｔ４の存在により前後のパイロットシンボルを使用した受信ができなくなって、受信品質の劣化を招来する。また、基地局からのパイロット信号の送信がないことにより、移動局でのＳＩＲ測定が行われず、結果として基地局において、順方向（下り）回線の送信電力制御ができないという欠点もある。
【００１６】
本発明の目的は、スロッテッドモードにおける空き時間での逆方向回線の送信電力制御特性の劣化を小さく抑えるようにした移動通信システム及びその通信制御方法並びにそれに用いる基地局及び移動局を提供することである。
【００１７】
本発明の他の目的は、移動局において、複数のパイロットシンボルを使用した受信を行う場合に、前後のパイロットシンボルを使用した受信ができなくなることによる受信品質の劣化を抑えるするようにした移動通信システム及びその通信制御方法並びにそれに用いる基地局及び移動局を提供することである。
【００１８】
本発明の更に他の目的は、基地局からのパイロット信号の送信がなくなることよって順方向回線の送信電力制御ができなくなることを防止した移動通信システム及びその通信制御方法並びにそれに用いる基地局及び移動局を提供することである。
【００１９】
【課題を解決するための手段】
本発明によれば、基地局と移動局とを含み、前記基地局から前記移動局への順方向回線の通信フレーム中に通信データを時間軸方向に圧縮して生じた空き時間を設けるようにした移動通信システムであって、
前記基地局は、
前記通信フレーム中に前記空き時間を設ける手段と、この空き時間においても前記通信データの復調または順方向回線用の送信電力制御に使用されるパイロット信号を含む第１の制御信号を挿入して送信する送信制御手段とを含むことを特徴とする移動通信システムが得られる。
そして、前記送信制御手段は、前記パイロット信号を予め定められた時間間隔で挿入することを特徴とし、前記時間間隔は通信時の前記第１の制御信号の時間間隔よりも長く設定されていることを特徴とする。また、前記通信データの復調または順方向回線用の送信電力制御に使用されるパイロット信号を含む第２制御信号の直後から前記空き時間を設けることを特徴とする。
【００２０】
本発明によれば、基地局と移動局とを含み、前記基地局から前記移動局への順方向回線の通信フレーム中に通信データを時間軸方向に圧縮して生じた空き時間を設けるようにした移動通信システムであって、
前記基地局は、
前記通信フレーム中に前記通信データの復調または順方向回線用の送信電力制御に使用されるパイロット信号を含む第２の制御信号を挿入する手段と、前記空き時間を前記第２の制御信号の直後から設けて送信する送信制御手段とを含むことを特徴とする移動通信システムが得られる。
【００２１】
前記送信制御手段は、前記空き時間の終了直後に前記通信データの復調または順方向回線用の送信電力制御に使用されるパイロット信号を含む第３の制御信号を送信することを特徴とし、また前記第１の制御信号は、逆方向回線用の送信電力制御情報を含むことを特徴とする。前記第２の制御信号は、逆方向回線用の送信電力制御情報を含むことを特徴とし、前記第３の制御信号は、逆方向回線用の送信電力制御情報を含むことを特徴とする。
【００２２】
本発明によれば、基地局と移動局とを含み、前記基地局から前記移動局への順方向回線の通信フレーム中に通信データを時間軸方向に圧縮して生じた空き時間を設けるようにした移動通信システムであって、
前記基地局は、
前記空き時間を通信品質を維持するための第２の制御信号の直後から設ける手段と、前記空き時間の終了直後に通信品質を維持するための第３の制御信号を送信する送信制御手段とを含み、
前記２及び第３の制御信号が通信データの復調または順方向回線用の送信電力制御に使用されるパイロット信号であることを特徴とする移動通信システムが得られる。
【００２３】
本発明によれば、基地局と移動局とを含み、前記基地局から前記移動局への順方向回線の通信フレーム中に通信データを時間軸方向に圧縮して生じた空き時間を設けるようにした移動通信システムであって、
前記基地局は、
前記空き時間を通信品質を維持するための第２の制御信号の直後から設ける手段と、前記空き時間の終了直後に通信品質を維持するための第３の制御信号を送信する送信制御手段とを含み、
前記２の制御信号が逆方向回線用の送信電力制御情報であり、前記第３の制御信号が通信データの復調または順方向回線用の送信電力制御に使用されるパイロット信号であることを特徴とする移動通信システムが得られる。
【００２４】
また、所定の周期で前記空き時間を設ける通信モードに切り替えることを特徴とし、基地局から移動局に通知を行うことにより前記空き時間を設ける通信モードに切り替えることを特徴とする。また、基地局において観測した回線品質状態に応じて移動局に通知を行うことにより前記空き時間を設ける通信モードに切り替えることを特徴とする。更に、基地局において観測した輻輳状態に応じて移動局に通知を行うことにより前記空き時間を設ける通信モードに切り替えることを特徴とする。更に、移動局から基地局に通知を行うことにより前記空き時間を設ける通信モードに切り替えることを特徴とする。また、移動局において観測した回線品質状態に応じて基地局に通知を行うことにより前記空き時間を設ける通信モードに切り替えることを特徴とする。
【００２５】
本発明によれば、基地局と移動局とを含み、前記基地局から前記移動局への順方向回線の通信フレーム中に通信データを時間軸方向に圧縮して生じた空き時間を設けるようにした移動通信システムにおける通信制御方法であって、
前記基地局において、
前記通信フレーム中に前記空き時間を設けるステップと、この空き時間においても前記通信データの復調または順方向回線用の送信電力制御に使用されるパイロット信号を含む第１の制御信号を挿入して送信するステップとを含むことを特徴とする通信制御方法が得られる。
そして、前記送信するステップは、前記第１の制御信号を予め定められた時間間隔で挿入することを特徴とし、前記時間間隔は通信時の前記第１の制御信号の時間間隔よりも長く設定されていることを特徴とする。また、前記空き時間を設けるステップは、前記通信データの復調または順方向回線用の送信電力制御に使用されるパイロット信号を含む第２の制御信号の直後から前記空き時間を設けるようにしたことを特徴とする。
【００２６】
本発明によれば、基地局と移動局とを含み、前記基地局から前記移動局への順方向回線の通信フレーム中に通信データを時間軸方向に圧縮して生じた空き時間を設けるようにした移動通信システムにおける通信制御方法であって、
前記基地局において、
前記通信フレーム中に前記通信データの復調または順方向回線用の送信電力制御に使用されるパイロット信号を含む第２の制御信号を挿入するステップと、前記空き時間を前記第２の制御信号の直後から設けて送信するステップとを含むことを特徴とする通信制御方法が得られる。
【００２７】
前記空き時間の終了直後に、前記通信データの復調または順方向回線用の送信電力制御に使用されるパイロット信号を含む第３の制御信号を送信することを特徴とする。また前記第１の制御信号は、逆方向回線用の送信電力制御情報をも含むことを特徴とし、前記第２の制御信号は、逆方向回線用の送信電力制御情報をも含むことを特徴とし、また前記第３の制御信号は、逆方向回線用の送信電力制御情報をも含むことを特徴とする。
【００２８】
本発明によれば、基地局と移動局とを含み、前記基地局から前記移動局への順方向回線の通信フレーム中に通信データを時間軸方向に圧縮して生じた空き時間を設けるようにした移動通信システムにおける通信制御方法であって、
前記基地局において、
前記空き時間を通信品質を維持するための第２の制御信号の直後から設けるステップと、前記空き時間の終了直後に通信品質を維持するための第３の制御信号を送信するステップとを含み、
前記２及び第３の制御信号が通信データの復調または順方向回線用の送信電力制御に使用されるパイロット信号であることを特徴とする通信制御方法が得られる。
【００２９】
本発明によれば、基地局と移動局とを含み、前記基地局から前記移動局への順方向回線の通信フレーム中に通信データを時間軸方向に圧縮して生じた空き時間を設けるようにした移動通信システムにおける通信制御方法であって、
前記基地局において、
前記空き時間を通信品質を維持するための第２の制御信号の直後から設けるステップと、前記空き時間の終了直後に通信品質を維持するための第３の制御信号を送信するステップとを含み、
前記２の制御信号が逆方向回線用の送信電力制御情報であり、前記第３の制御信号が通信データの復調または順方向回線用の送信電力制御に使用されるパイロット信号であることを特徴とする通信制御方法が得られる。
【００３０】
所定の周期で前記空き時間を設ける通信モードに切り替えることを特徴とし、また基地局から移動局に通知を行うことにより前記空き時間を設ける通信モードに切り替えることを特徴とする。更に、基地局において観測した回線品質状態に応じて移動局に通知を行うことにより前記空き時間を設ける通信モードに切り替えることを特徴とし、また基地局において観測した輻輳状態に応じて移動局に通知を行うことにより前記空き時間を設ける通信モードに切り替えることを特徴とする。移動局から基地局に通知を行うことにより前記空き時間を設ける通信モードに切り替えることを特徴とし、また移動局において観測した回線品質状態に応じて基地局に通知を行うことにより前記空き時間を設ける通信モードに切り替えることを特徴とする。
【００３１】
本発明によれば、基地局と移動局とを含み、前記基地局から前記移動局への順方向回線の通信フレーム中に通信データを時間軸方向に圧縮して生じた空き時間を設けるようにした移動通信システムにおける基地局であって、
前記通信フレーム中に前記空き時間を設ける手段と、
この空き時間においても前記通信データの復調または順方向回線用の送信電力制御に使用されるパイロット信号を含む第１の制御信号を挿入して送信する送信制御手段とを含むことを特徴とする基地局が得られる。
そして、前記送信制御手段は、前記第１の制御信号を予め定められた時間間隔で挿入することを特徴とし、また前記時間間隔は通信時の前記第１の制御信号の時間間隔よりも長く設定されていることを特徴とする。また、前記送信制御手段は、前記通信データの復調または順方向回線用の送信電力制御に使用されるパイロット信号を含む第２制御信号の直後から前記空き時間を設けることを特徴とする。
【００３２】
本発明によれば、基地局と移動局とを含み、前記基地局から前記移動局への順方向回線の通信フレーム中に通信データを時間軸方向に圧縮して生じた空き時間を設けるようにした移動通信システムにおける基地局であって、
前記通信フレーム中に前記通信データの復調または順方向回線用の送信電力制御に使用されるパイロット信号を含む第２の制御信号を挿入する手段と、
前記空き時間を前記第２の制御信号の直後から設けて送信する送信制御手段とを含むことを特徴とする基地局が得られる。
【００３３】
そして、前記送信制御手段は、前記空き時間の終了直後に前記通信データの復調または順方向回線用の送信電力制御に使用されるパイロット信号を含む第３の制御信号を送信することを特徴とする。また、前記第１の制御信号は、逆方向回線用の送信電力制御情報を含むことを特徴とし、前記第２の制御信号は、逆方向回線用の送信電力制御情報を含むことを特徴とし、また前記第３の制御信号は、逆方向回線用の送信電力制御情報を含むことを特徴とする。
【００３４】
本発明によれば、基地局と移動局とを含み、前記基地局から前記移動局への順方向回線の通信フレーム中に通信データを時間軸方向に圧縮して生じた空き時間を設けるようにした移動通信システムにおける基地局であって、
通信品質を維持するための第２の制御信号を挿入する手段と、
前記空き時間を前記第２の制御信号の直後から設け、前記空き時間の終了直後に第３の制御信号を送信する送信制御手段とを含み、
前記第２及び第３の制御信号が前記通信データの復調または順方向回線用の送信電力制御に使用されるパイロット信号であることを特徴とする基地局が得られる。
【００３５】
本発明によれば、基地局と移動局とを含み、前記基地局から前記移動局への順方向回線の通信フレーム中に通信データを時間軸方向に圧縮して生じた空き時間を設けるようにした移動通信システムにおける基地局であって、
前記空き時間を通信品質を維持するための第２の制御信号の直後から設ける手段と、
前記空き時間の終了直後に通信品質を維持するための第３の制御信号を送信する送信制御手段とを含み、
前記２の制御信号が逆方向回線用の送信電力制御情報であり、前記第３の制御信号が通信データの復調または順方向回線用の送信電力制御に使用されるパイロット信号であることを特徴とする基地局が得られる。
そして、所定の周期で前記空き時間を設ける通信モードに切り替えることを特徴とし、また移動局に通知を行うことにより前記空き時間を設ける通信モードに切り替えることを特徴とする。また、回線品質状態に応じて移動局に通知を行うことにより前記空き時間を設ける通信モードに切り替えることを特徴とし、また輻輳状態に応じて移動局に通知を行うことにより前記空き時間を設ける通信モードに切り替えることを特徴とする。更に、前記移動局からの通知により前記空き時間を設ける通信モードに切り替えることを特徴とする。
【００３６】
本発明によれば、基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間に送信された通信品質を維持するための第１の制御信号を受信し、この第１の制御信号に基き受信品質を測定する品質測定手段と、
この受信品質に従って順方向の送信電力制御情報を生成して送信する送信手段とを含むことを特徴とする移動局が得られる。
【００３７】
本発明によれば、基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間に送信された通信品質を維持するための第１の制御信号を受信する手段と、
この第１の制御信号を用いて通信データを復調する復調手段とを含むことを特徴とする移動局が得られる。
【００３８】
本発明によれば、基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間に送信された通信品質を維持するための第１の制御信号を受信する手段と、
この第１の制御信号に従って逆方向の送信電力を制御する手段とを含むことを特徴とする移動局が得られる。
【００３９】
本発明によれば、基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信する手段と、
この制御信号に基き受信品質を測定する品質測定手段と、
この受信品質に従って順方向の送信電力制御情報を生成して送信する送信手段とを含むことを特徴とする移動局が得られる。
【００４０】
本発明によれば、基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信する手段と、
この制御信号を用いて通信データを復調する復調手段とを含むことを特徴とする移動局が得られる。
【００４１】
本発明によれば、基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信する手段と、
この第２の制御信号に基き逆方向の送信電力を制御する手段とを含むことを特徴とする移動局が得られる。
【００４２】
本発明によれば、基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信すると共に、前記空き時間の直後に通信品質を維持するための第３の制御信号を受信する手段と、
これ等第２若しくは第３の制御信号に基き受信品質を測定する品質測定手段と、
この受信品質に従って順方向の送信電力制御情報を生成して送信する送信手段とを含むことを特徴とする移動局が得られる。
【００４３】
本発明によれば、基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信すると共に、前記空き時間の直後に通信品質を維持するための第３の制御信号を受信する手段と、
これ等第２若しくは第３の制御信号を用いて通信データを復調する復調手段とを含むことを特徴とする移動局が得られる。
【００４４】
本発明によれば、基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信すると共に、前記空き時間の直後に通信品質を維持するための第３の制御信号を受信する手段と、
この第３の制御信号に基き受信品質を測定する品質測定手段と、
この受信品質に従って順方向の送信電力制御情報を生成して送信する送信手段と、
前記第２の制御信号に基づいて逆方向の送信電力を制御する手段とを含むことを特徴とする移動局が得られる。
【００４５】
本発明によれば、基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信すると共に、前記空き時間の直後に通信品質を維持するための第３の制御信号を受信する手段と、
この第３の制御信号を用いて通信データを復調する復調手段と、
前記第２の制御信号に基づいて逆方向の送信電力を制御する手段とを含むことを特徴とする移動局が得られる。
【００４６】
本発明によれば、基地局と移動局とを含み、前記基地局から前記移動局への順方向回線の通信フレーム中に通信データを時間軸方向に圧縮して生じた空き時間を設けるようにした移動通信システムにおける移動局であって、
前記空き時間の直前に設けられた通信品質を維持するための第２の制御信号を受信すると共に、前記空き時間の直後に通信品質を維持するための第３の制御信号を受信する手段と、
この第３の制御信号を用いて通信データを復調する復調手段と、
第３の制御信号に基き受信品質を測定する品質測定手段と、
この受信品質に従って順方向の送信電力制御情報を生成して送信する送信手段と、
前記第２の制御信号に基づいて逆方向の送信電力を制御する手段とを含むことを特徴とする移動局が得られる。
【００４７】
そして、前記第１の制御信号は、前記通信データの復調または順方向回線用の送信電力制御に使用されるパイロット信号を含むことを特徴とし、また前記第２の制御信号は、前記通信データの復調または順方向回線用の送信電力制御に使用されるパイロット信号を含むことを特徴とする。また、前記第３の制御信号は、前記通信データの復調または順方向回線用の送信電力制御に使用されるパイロット信号を含むことを特徴とし、前記第１の制御信号は、逆方向回線用の送信電力制御情報をも含むことを特徴とする。また、前記第２の制御信号は、逆方向回線用の送信電力制御情報をも含むことを特徴とする。
【００４８】
また、前記第１の制御信号は、通信データの復調または順方向回線用の送信電力制御に使用されるパイロット信号、及び逆方向回線用の送信電力制御情報をも含むことを特徴とする。前記第２の制御信号は、通信データの復調または順方向回線用の送信電力制御に使用されるパイロット信号、及び逆方向回線用の送信電力制御情報をも含むことを特徴とし、前記第３の制御信号は、通信データの復調または順方向回線用の送信電力制御に使用されるパイロット信号、及び逆方向回線用の送信電力制御情報をも含むことを特徴とする。また、所定の周期で前記空き時間を設ける通信モードに切り替えることを特徴とし、基地局からの通知により前記空き時間を設ける通信モードに切り替えることを特徴とする。
また、基地局に通知を行うことにより前記空き時間を設ける通信モードに切り替えることを特徴とし、回線品質状態に応じて基地局に通知を行うことにより前記空き時間を設ける通信モードに切り替えることを特徴とする。
【００４９】
【発明の実施の形態】
以下に本発明の実施の形態を示す。図１は本発明の実施の形態の基地局のブロックである。入力送信データは誤り訂正符号化部１へ入力されて誤り訂正符号化され、セグメント化部２へ供給される。生成されたセグメントであるスロットの各々には、図１１の（ｃ）〜（ｅ）に夫々示した制御信号であるパイット信号ＰＬ、送信電力制御信号ＴＰＣ及び送信レート情報ＲＩ等が規定の位置に挿入される。セグメント化部２の出力は変調部３にて変調され、拡散回路４及びパワーアンプ５を経て、送受信共用回路６からアンテナ７へと供給され送信されることになる。
【００５０】
後述する移動局からの受信信号はアンテナ７、送受信共用回路６を介して逆拡散回路８へ供給され、復調部９にて復調されて出力される。復調部９の出力からパイロット信号抽出部１０にて制御信号のうちのパイロット信号が抽出され、ＳＩＲ測定部１１にて上り回線のＳＩＲ測定がなされる。ＴＰＣ信号生成部１２において、この測定ＳＩＲ値と目的とする値とが比較されこの比較結果に従って上り回線のための送信電力制御情報ＴＰＣが生成される。この送信電力制御情報ＴＰＣは制御信号挿入部１３へ送出されて、パイロット信号等の他の制御情報と共に各セグメントに夫々挿入される。一方、復調部９の出力からＴＰＣ信号抽出部１４にて下り回線のための送信電力制御情報ＴＰＣが抽出され、この情報ＴＰＣに応じてパワーアンプ５の利得制御がなされる。
【００５１】
ここで、図１０に示した空き時間Ｔ４を生成する方法としては、前述した様に、パンクチュアリングによる方法と、拡散率を低くする方法とがある。前者の方法は、誤り訂正符号化部１にて、例えば、１６スロット分のデータを１５スロット分のデータに間引く方式である。これにより１スロット分の空き時間が生ずることになる。後者の拡散率を低くする方法は、セグメント化部２において、例えば、１６スロット分のデータを８セグメントとして拡散率を１／２にすることで、伝送速度を２倍に上げ時間軸方向に信号を１／２に圧縮する方式であり、比較的長い空き時間が生成可能である。この空き時間を利用して、移動局では、異周波キャリア品質測定を行ったり、他の種々の処理が行われるが、本発明では、この空き時間においても、制御信号挿入部１３により制御信号を挿入するのである。
【００５２】
図２は図１に示した基地局の動作の概略を示すフローチャートである。図２を参照すると、先ず、送信データの誤り訂正符号化が行われ（ステップＳ１）、セグメント化がなされる（ステップＳ２）が、このとき、一定周期で空き時間の生成が行われるものとする（ステップＳ３）。通常のデータ送信期間における各セグメントに制御信号の挿入が実行され（ステップＳ４，Ｓ１０）、空き時間、空き時間の直前、または空き時間の直後にも制御信号の挿入が行われる（ステップＳ４，Ｓ５）。そして、送信電力制御を行いつつ送信される（ステップＳ６）。
【００５３】
一方、受信データより制御信号が抽出され（ステップＳ７）、制御信号中のパイロット信号によりＳＩＲ測定がなされる（ステップＳ８）。この測定結果と目的値とが比較されてこの比較結果にしたがった上り回線のための送信電力制御情報ＴＰＣが生成され（ステップＳ９）、パイロット信号等の他の制御信号と共に、各セグメント並びに空き時間に夫々挿入される（ステップＳ５，１０）。また、ステップＳ７で抽出された制御信号中の下り回線のための送信電力制御情報ＴＰＣに従って、送信電力制御が行われることになる（ステップＳ６）。
【００５４】
この場合の空き時間に制御信号を挿入する種々の例を図３〜５に夫々示す。図３の例では、主に空き時間Ｔ４が比較的長い場合に有効であり、スロッテッドモードにおいて拡散率を変えることにより空き時間を確保する場合に相当する。空き時間が比較的長い場合には、一つの連続した空き時間とせずに、例えば、空き時間にて行うべき処理が、例えば、異周波キャリア品質測定の場合には、それに必要最小限の時間の小ブロックＴ41，Ｔ42に細分し、これ等小ブロック同士の間の時間に、制御信号１０１を送信するようにしたものである。
【００５５】
図３では、空き時間Ｔ４中の制御信号伝送が１回の場合が示されているが、複数回、制御信号伝送を行うようにしてもよいのは明らかである。また、そのとき、空き時間Ｔ４中に挿入する複数の制御信号間の送信間隔は、通常の送信モード中の同種の制御信号の送信間隔よりも長く設定してもよい。
【００５６】
図４の例では、空き時間Ｔ４が比較的に短く、これ以上細分しては細分化した時間では、その間に実行すべき、例えば、異周波キャリア品質測定が困難となる場合に適用される。主に、スロッテッドモードにおいて、パンクチュアリングにより空き時間を確保する場合が該当する。この例では、空き時間Ｔ４に入る前に、異周波キャリア品質測定モード中の情報信号伝送の直後の制御信号１０１まで送信した後、空き時間に入るようにしたものである。制御信号１０１で上り（逆方向）回線の送信電力が実施されるので、従来のように情報信号伝送の直後に空き時間に入るより、上り（逆方向）回線の特性は向上する。
【００５７】
本例では、図１１（ｃ），（ｄ），（ｅ）の場合の様に、空き時間Ｔ４が開始するスロットの先頭付近に一部または全ての制御信号が存在するスロットの形式の場合に効果的である。本例では、空き時間Ｔ４が短い場合であるが、空き時間が長い場合でも、図４に示した様に、それを細分化せずに空き時間に入る前に次の制御信号まで送信した後、異周波キャリア品質測定に入るようにしてもよいのは明らかである。
【００５８】
図５の例では、空き時間Ｔ４の直後に制御信号１０１を挿入している。この例では、図１１（ｅ）の場合の様に、空き時間Ｔ４が終了するスロットの末尾に一部または全ての制御信号が存在するスロット形式の場合に効果的である。本例でも、制御信号を一定時間間隔で挿入しても良いことは勿論である。また、本例において、同時に、図４のように空き時間Ｔ４の直前にも制御信号伝送を行い、制御信号伝送を行ってから異周波キャリアの受信を行う移動局に対する通信データの送信を停止しても良いことも勿論である。
【００５９】
図６は本発明の実施の形態における移動局のブロック図である。図６を参照すると、アンテナ２１からの受信信号は送受信共用回路２２を経て逆拡散回路２３へ入力されて逆拡散処理が行われ、復調部２４で復調されて出力される。一方、入力送信データはセグメント化部２５にてセグメント化されて変調部２６へ入力され、拡散回路２７及びパワーアンプ２８を介して送受信共用回路２２々供給され、アンテナ２１から送信される。
【００６０】
パイロット信号抽出部２９において、復調部２４の信号からパイロット信号が抽出され、ＳＩＲ測定部３０へ送出される。このＳＩＲ測定部３０において、下り（順方向）回線のＳＩＲが測定され、ＴＰＣ信号生成部３１において、この測定値と目標値とが比較され、この比較結果が、下り（順方向）送信電力制御信号ＴＰＣとして、他の制御信号であるパイロット信号等と共に、制御信号挿入部３２により各セグメントに挿入されるのである。
【００６１】
一方、ＴＰＣ信号抽出部３３において、復調部２４の信号から上り（逆方向）送信電力制御信号ＴＰＣが抽出され、この信号ＴＰＣに従って、パワーアンプ２８の利得制御がなされるのである。
【００６２】
図７は図６に示した移動局の動作を示す概略ブロック図である。図７を参照すると、送信データのセグメント化が行われ（ステップＳ２１）、各セグメントに制御信号が挿入される（ステップＳ２２）。そして、送信電力制御が行われつつ送信がなされる（ステップＳ２３）。
【００６３】
一方、受信データより制御信号の抽出が行われ（ステップＳ２４）、この制御信号中のパイロット信号によりＳＩＲ測定がなされる（ステップＳ２５）。このＳＩＲ測定値と目標値との比較がなされてこの比較結果に応じて、下り（順方向）送信電力制御信号ＴＰＣが生成される（ステップＳ２６）。この生成された送信電力制御信号ＴＰＣはステップＳ２２にてセグメントへ挿入される。また、受信データからの抽出制御信号中の上り（逆方向）送信制御信号ＴＰＣに従って、送信電力制御が行われて（ステップＳ２３）、上り（逆方向）送信がなされる。
【００６４】
上記例では、上り回線及び下り回線の各制御信号として、パイロット信号ＰＬ及び送信電力制御情報ＴＰＣを夫々含むものとして説明している。この場合には、両方向の送信電力の制御が可能であり、特に空き時間Ｔ４中においても、制御信号１０１としてパイロット信号ＰＬ及び送信電力制御情報ＴＰＣを含む構成とすることで、移動局では上り回線の送信電力制御がその分だけ多く実施できるので、特に上り回線の送信電力特性の劣化を抑止することができる。
【００６５】
また、他の例として、空き時間Ｔ４中における制御信号１０１として、パイロット信号ＰＬのみとすることもできる。例えば、図１１（ｃ）、（ｄ）のようにスロットの先頭にパイロット信号ＰＬが配置されている場合には、図４に示すように、情報信号伝送の直後の制御信号であるパイロット信号ＰＬまで送信した後、異周波キャリアの受信を行う移動局に対する通信データの送信を停止するようにすることができる。
【００６６】
また、図１１（ｅ）のようにスロットの末尾にパイロット信号ＰＬが配置されている場合には、図５に示すように、空き時間の終了直後に制御信号であるパイロット信号ＰＬを挿入し、そのパイロット信号から送信を開始するようにすることができる。これらの場合には、移動局は、空き時間の直前の受信データも、空き時間の直後の受信データも、前後のパイロット信号を用いて復調できることになるので、下り回線の受信品質が改善される。
【００６７】
また、これら場合には、基地局から送信されたパイロット信号ＰＬが移動局で受信されてＳＩＲ測定され、その測定結果が基地局へ報告されることで、基地局では下り回線の送信電力の制御ができることになり、結果として、下り回線の回線品質が向上するのである。そして、送信停止直前（空き時間Ｔ４の開始直前）のパイロット信号を送信することにより、移動局では、そのパイロット信号を使用してＳＩＲ測定を行い、基地局に対して送信電力制御命令を１つ多く送信することができ、下り回線の送信電力制御の効果が改善される。
【００６８】
また、空き時間の直前と直後の両方に制御信号を送信するようにしてもよい。例えば、図１１（ｅ）のスロット構成をとる場合に、空き時間の直前に挿入する制御信号を送信電力制御情報ＴＰＣ、そして、空き時間の直後に挿入する制御信号をパイロットＰＬとすることができる。この場合には、基地局は送信電力制御情報ＴＰＣを送信してから、異周波キャリアの受信を行う移動局に対する通信データの送信を停止するから、それを用いて、移動局では上り回線の送信電力制御ができるので、上り回線品質劣化を低減することができる。また、基地局はパイロットＰＬから送信を開始するから、移動局では、空き時間の直後にデータを受信するときに、そのパイロットＰＬを含む、前後のパイロット信号を用いた受信ができるようになるので、下り回線の受信品質が改善される。さらに、移動局は、空き時間の直後のパイロットＰＬを使用してＳＩＲ測定を行い、基地局に対して送信電力制御命令を１つ多く送信することができ、下り回線の品質劣化も低減することができる。
【００６９】
更に、スロッテッドモードである空き時間の生成のタイミングとしては、図２の動作フローのステップＳ３で示した様に、一定の周期でもって空き時間を生成する方法の他に、基地局または移動局が回線品質状態を監視してこの回線の品質状態に応じて空き時間を生成する方法が考えられる。例えば、基地局が移動局からの信号のフレーム誤り率などの回線品質を監視し、その値が許容値を超えた場合には、移動局に他の周波数キャリアの受信状態を測定させるための通知を行い、基地局は空き時間も設ける送信モードに入り、移動局では、その通知を受けて、その送信モードに対応した制御動作を開始する。
【００７０】
また、同様に、移動局が回線品質を監視して、回線品質が劣化した場合に基地局に通知して、基地局はその通知を受けて、空き時間を設ける送信モードに入り、移動局は同時に、そのその送信モードに対応した制御動作を開始する。更には、基地局が回線の輻輳状態を監視してこの輻輳状態に応じて空き時間を生成する方法等が考えられるものである。基地局が回線の輻輳状態を監視して空き時間を設ける送信モードに入る方法としては、基地局が自局と通信中の移動局数を監視し、その値が所定値を超えた場合には、通信中の移動局の一部に対して、他の周波数キャリアの受信状態を測定させるための通知を行い、基地局は、その通知を行った移動局に対して空き時間も設ける送信モードに入り、その通知を受けた移動局では、その送信モードに対応した制御動作を開始する方法が考えられる。
【００７１】
【発明の効果】
以上説明したように、本発明によれば、異周波キャリア品質測定等の種々の処理を行うためにデータ送信中にスロッテッドモードによる空き時間を生成して送信する通信方式において、当該空き時間にも、通信品質を維持するための制御信号を挿入する様にしているので、空き時間が長くなっても通信中の回線品質が劣化しないという効果がある。
【００７２】
すなわち、当該制御信号としてパイロット信号を用いた場合には、空き時間であっても、移動局において当該パイロット信号により下り回線品質の測定を行い、その測定結果を基地局へ報告することができるので、基地局では、この報告に従って下り回線の送信電力制御を行うことがで、よって下り回線の品質劣化が抑止される。また、移動局において、複数のパイロット信号を用いた受信をなす場合に、前後のパイロット信号を用いた受信ができなくなることによる通信品質の劣化が防止される。
【００７３】
当該制御信号としてパイロット信号の他に、上り回線の送信電力制御情報をも送信することにより、移動局は空き時間であっても、この送信電力制御情報を用いて上り回線の送信電力の制御ができるので、上り回線品質劣化の防止にもなる。
【図面の簡単な説明】
【図１】本発明の実施例における基地局のブロック図である。
【図２】図１の基地局の動作を示すフローチャートである。
【図３】本発明の実施例における制御信号挿入の一例を示す図である。
【図４】本発明の実施例における御信号挿入の他の例を示す図である。
【図５】本発明の実施例における御信号挿入の更に他の例を示す図である。
【図６】本発明の実施例における移動局のブロック図である。
【図７】図６の移動局の動作を示すフローチャートである。
【図８】周波数キャリアの配置例を示す図である。
【図９】基地局と移動局との間の回線を説明する図である。
【図１０】従来におけるスロッテッドモードにおける空き時間の例を示す図である。
【図１１】基地局からの下り回線の送信信号のフォーマット例を示す図である。
【符号の説明】
１  誤り訂正符号化部
２，２５  セグメント化部
３，２６  変調部
４，２７  拡散回路
５，２８  パワーアンプ
６，２２  送受信共用回路
７，２１  アンテナ
８，２３  逆拡散回路
９，２６  復調部
１０，２９  パイロット信号抽出部
１１，３０  ＳＩＲ測定部
１２，３１  ＴＰＣ信号生成部
１３，３２  制御信号挿入部
１４，３３  ＴＰＣ信号抽出部
１０１  制御信号
Ｔ４  空き時間
【図１】
0004178765.tif 000002
【図２】
0004178765.tif 000003
【図３】
0004178765.tif 000004
【図４】
0004178765.tif 000005
【図５】
0004178765.tif 000006
【図６】
0004178765.tif 000007
【図７】
0004178765.tif 000008
【図８】
0004178765.tif 000009
【図９】
0004178765.tif 000010
【図１０】
0004178765.tif 000011
【図１１】
0004178765.tif 000012